(57)【要約】【課題】  内障子の合掌框間の下部の水密性を確保することができる開口部装置を提供する。また、内障子の框内に入った水を室外に円滑に排水することを可能とする。【解決手段】  上枠２ａ、下枠２ｂ及び左右の縦枠２ｃからなる枠２内の両側部に外障子３を嵌め殺しまたはスライド開閉自在に設け、枠２内の中央部に左右一対の内障子４をスライド開閉自在に設け、下枠２ｂの上面１２を略平坦面に形成し、内障子４の室外側下部に垂下片１３を設け、下枠２ｂの上面に垂下片１３を案内する案内溝１５を形成し、案内溝１５に垂下片１３との間を封止する横気密材２７を設ける。前記内障子４の突合せ部である合掌框５ｄ間の室内側に合掌框５ｄ間を封止する合掌框縦気密材２８を設け、合掌框５ｄ間の下部に合掌框縦気密材２８と横気密材２７を接続する合掌框下部気密材２９を設ける。【選択図】          図６
2005120689.tif 000002
【特許請求の範囲】
【請求項１】
上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設けたことを特徴とする開口部装置。
【請求項２】
上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設け、合掌框の合掌框下部気密材上方に内障子の框内に入った水を排水するための排水孔を設けたことを特徴とする開口部装置。
【発明の詳細な説明】
【技術分野】
【０００１】
本発明は、両袖嵌め殺し中央引分けタイプまたは４枚建てタイプの開口部装置に係り、特に両側部に外障子を中央部に内障子を配し且つ下枠の上面をバリアフリーの略平坦面にすると共に合掌框の止水構造を改良した開口部装置に関するものである。
【背景技術】
【０００２】
開口部装置としては、上枠、下枠及び左右の縦枠からなる枠と、該枠内の両側部に嵌め殺しまたはスライド開閉自在に設けられた外障子と、枠内の中央部に突合わせられてスライド開閉自在に設けられた左右一対の内障子とを備えたもの（例えば両袖嵌め殺し中央引分け窓、四枚建て引違い窓）が知られている（例えば特開平６−１４６７４０号公報参照）。この開口部装置において、前記下枠の上面を略平坦面に形成してバリアフリーとする開発が進められている。
【０００３】
なお、枠内の室外側及び室内側の両方に可動障子をスライド開閉自在に設けた引違い窓においては、下枠の上面を略平坦面に形成してバリアフリーとしたものが知られている（例えば特開２００２-１９４９６３号公報参照）。この公報に記載された止水構造を前記開口部装置に適用することは可能である。
【０００４】
【特許文献１】特開平６−１４６７４０号公報
【特許文献２】特開２００２-１９４９６３号公報
【発明の開示】
【発明が解決しようとする課題】
【０００５】
しかしながら、前記開口部装置に前記止水構造を適用した場合、内障子の室内側下部に垂下片が設けられ、下枠の上面に垂下片を案内する案内溝が設けられ、該案内溝に垂下片との間を封止する横気密材が設けられるため、下枠の上面における内障子の走行面が室外側となり、走行面上に砂やほこりが付き易く、走行面に傷が付き易い。また、内障子の突合せ部である合掌框間の室外側または室内側に合掌框間を封止する縦気密材（合掌框縦気密材という）が設けられるが、垂下片と合掌框縦気密材が同じ側にない場合（例えば垂下片が室外側で合掌框縦気密材が室内側の場合及び垂下片が室内側で合掌框縦気密材が室外側の場合）、合掌框間の下部において、合掌框縦気密材と横気密材の気密ラインを連続させる（つなげる）ことが難しく、止水性を確保することが難しい。垂下片及び合掌框気密材を共に室内側に配置した場合、気密ライン及び排水の問題はないが、前述のように走行面が傷付き易い。なお、このような問題を解消するために、内障子の室外側下部に垂下片を設け、合掌框間の室外側に合掌框縦気密材を配置することが考えられるが、その場合、内障子の框内に入った雨水等の水を室外側に排水することが難しい。
【０００６】
本発明は、前記事情を考慮してなされたもので、内障子の合掌框間の下部の水密性を確保することができる開口部装置を提供することを目的とする。また、本発明の目的は、内障子の框内に入った水を室外に容易に排水することができる開口部装置を提供することにある。
【課題を解決するための手段】
【０００７】
本発明のうち、請求項１の発明は、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設けたことを特徴とする。
【０００８】
請求項２の発明は、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設け、合掌框の合掌框下部気密材上方に内障子の框内に入った水を排水するための排水孔を設けたことを特徴とする。
【発明の効果】
【０００９】
請求項１の発明によれば、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設けているため、内障子の合掌框間の下部の水密性を確保することができる。
【００１０】
請求項２の発明によれば、上枠、下枠及び左右の縦枠からなる枠と、該枠内の両側部に嵌め殺しまたはスライド開閉自在に設けられた外障子と、枠内の中央部にスライド開閉自在に設けられた左右一対の内障子とを備え、前記下枠の上面を略平坦面に形成し、前記内障子の室外側下部に垂下片を設け、前記下枠の上面に前記垂下片を案内する案内溝を形成し、該案内溝に垂下片との間を封止する横気密材を設け、前記内障子の突合せ部である合掌框間の室内側に合掌框間を封止する合掌框縦気密材を設け、合掌框間の下部に前記合掌框縦気密材と横気密材を接続する合掌框下部気密材を設け、合掌框の合掌框下部気密材上方に内障子の框内に入った水を排水するための排水孔を設けているため、請求項１と同じ効果を奏する他に、内障子の框内に入った水を室外に容易に排水することができる。
【発明を実施するための最良の形態】
【００１１】
以下に、本発明を実施するための最良の形態について、添付図面を基に詳述する。図１は本発明を両袖嵌め殺し中央引分け窓に適用した実施の形態を示す室内側正面図、図２は図１の拡大横断面図、図３は要部拡大斜視図、図４は一方の合掌框の斜視図、図５は他方の合掌框の斜視図、図６は要部拡大断面図である。
【００１２】
これらの図において、１は開口部装置である両袖嵌め殺し中央引分けタイプの下枠フラットサッシ（ノンレールサッシともいう）で、このサッシ１は、建築物の屋外開口部に取付けられる上枠２a、下枠２ｂ及び左右の縦枠２ｃ，２ｃからなる枠２と、該枠２内の室外側の両側部（両袖部）に嵌め殺しに設けられた固定障子である外障子３と、枠２内の室内側の中央部に突合わせられてスライド開閉自在に設けられた可動障子である左右一対の内障子４とを備えている。上枠２ａ、下枠２ｂ及び左右の縦枠２ｃ，２ｃは、例えばアルミ押出形材からなっている。
【００１３】
前記内障子４は、例えばアルミ押出形材からなる上框５ａ、下框５ｂ及び左右の縦框（召し合せ框と合掌框）５ｃ，５ｄからなる框５内にガラスパネル６を装着してなる。前記外障子３は、閉鎖（全閉）時の内障子４の召合せ框５ｃに対応して上枠２ａと下枠２ｂ間に掛け渡されて固定された召合せ方立７ｃと、前記一方の縦枠２ｃと、上桟７ａ及び下桟７ｂとからなる枠組内にガラスパネル６を装着してなる。上桟７ａの上部は上枠２ａの下面に形成された上溝部８に係合されており、下桟７ｂは下枠２ｂの上面に形成された後述の室外側溝部１８に係合されている。上枠２ａの下面には内障子４の上部を案内する上部レール（図示省略）が設けられている。図示例の障子３，４は中間横桟を５ｅ，７ｅ有しているが、中間横桟を有していなくても良い。
【００１４】
外障子３の召合せ方立７ｃにはクレセント受け９ａが設けられ、内障子４の召合せ框（召内框ともいう）５ｃには内障子４の閉鎖時に前記クレセント受け９ａに係合させて施錠するためのクレセント錠９が設けられている。前記内障子４の召合せ框５ｃと外障子３の召合せ方立７ｃとの間には閉鎖時に互いに係合する煙返し部１０ａ，１０ｂが設けられていると共に、召合せ框５ｃの室外面には召合せ方立７ｃの室内面に接してこれらの間を封止する例えば軟質樹脂製の縦気密材（召合せ縦気密材ともいう）１１が上下方向に設けられている。
【００１５】
前記内障子４の下框５ｂには戸車（図示省略）が取付けられ、この戸車を介して内障子４が下枠２ｂの上面１２にスライド開閉可能に支持されている。戸車には障子４の高さ調整を行う図示しない建て付け調整機構が設けられている。前記下枠２ｂの上面１２は略平坦面に形成され、室外側に配置した図示しない排水用グレーチングやバルコニー等のデッキ部と、室内側の床部とが下枠２ｂの上面１２と略水平に形成され、バリアフリー構造になっている。グレーチングの下には排水溝が設けられている。下枠２ｂの上面１２の戸車が走行する走行面１２ａは戸車を案内すべく若干凸面状に形成されている。
【００１６】
内障子３の室外側下部にはその長手方向全長に亘って垂下片１３が設けられている。実施例の場合、垂下片１３は下框２ｂの室外側下部全長に形成されており、内障子４の左右の縦框である召合せ框５ｄと合掌框５ｄの下部に取付けられた召合せ框下部振れ止め部材（図示省略）と合掌框下部振れ止め部材１４にも前記垂下片１３と連続する垂下片１３ａが形成されている（図７参照）。この垂下片１７（１７ａを含む、以下同様。）は戸車の下端よりも下方に延出されている。前記下枠２ｂの上面１２には前記垂下片１３を案内する幅の狭い案内溝１５が下枠の長手方向略全長に亘って設けられている。
【００１７】
また、下枠２ｂ内にはこれを上下に仕切る隔壁１６が設けられ、該隔壁１６には前記戸車と対応する位置に立上り壁１７が長手方向に沿って設けられると共に、この立上り壁１７を挟んで室外側溝部１８と室内側溝部１９が形成されている。これら室外側溝部１８と室内側溝部１９とには下枠２ｂの略平坦な上面１２を形成する例えばアルミ押出形材製の室外側カバー材２０と室内側カバー材２１とが着脱自在に設けられている。室内側カバー材２１の一側部は室内側溝部１９の底部（隔壁１６）に支持され、他側部は立上り壁１７に支持されている。室外側カバー材２０の両側部は室外側溝部１８の底部（隔壁）に支持されている。室外側カバー材２０の一側部と前記立上り壁１７との間には、前記案内溝１５の下部に位置し、該案内溝１５よりも溝幅の広い下部溝２２が形成されている。
【００１８】
障子３，４を取外すこと無く下枠２ｂを容易に掃除できるようにするために、下枠２ｂの室外側溝部１８内には対向する召合せ方立７ｃ、７ｃ近傍に室外側カバー材２０の長手方向両端部を着脱可能（着脱自在）に係合させる端部キャップ２３，２３が取付けられている（図９、図１０参照）。すなわち、室外側カバー材２０の脱着を容易にするために、端部キャップ２３には室外側カバー材２０の端部を係止する係止溝部２３ａが形成されていると共に室外側カバー材２０の端部を押圧する弾性片２３ｂが設けられている。室外側カバー材２０は、長手方向略中間部で左右に分割されており、その分割された各端部が下枠の隔壁１６に対して固着具例えばネジ（ビス）２４で固定されるようになっている。
【００１９】
室内側カバー材２１は、閉鎖位置の両内障子４の下部に位置される中央のカバー材と、両側のカバー材とに分割され、これらは案内溝１５の内部を清掃し得るようにネジ（ビス）２４や内障子用ストッパー（図示省略）を用いて容易に脱着可能になっている。隔壁１６の下部は空間部２５とされ、該空間部２５は下枠２ｂの室外壁に設けた排水口２６を通して室外の排水溝と連通されている。前記下枠２ｂの隔壁１６には閉鎖時の障子３，４よりも室外側空間と前記下枠２ｂの空間部２５とを連通する排水孔（図示省略）が設けられている。前記下枠２ｂの空間部２５は図示例の場合、中空部（ホロー部）からなっているが、これに限定されない。
【００２０】
内障子４の閉鎖時にサッシ１の室内側と室外側を気密ないし水密に遮断するために、また、下枠上面１２が平坦面であるがゆえに浸入しやすい雨水の浸入を防止するために、枠２と閉鎖時の障子３，４により両者の間に連続した気密ライン（止水ラインともいう）を如何に形成するかが重要となる。本実施例では、前記下枠２ｂにおける閉鎖状態の内障子４の垂下片１３（１３ａを含む）と案内溝１５の室内側縁部との間に軟質樹脂製の横気密材２７が設けられている。この横気密材２７は案内溝１５の室内側縁部、具体的には前記室内側カバー材２１の室外面に気密材取付溝部２７ａを介して取付けられており、この横気密材２７に対して垂下片１３の室内面が接している。なお、横気密材２７は閉鎖時の内障子４の垂下片１３に対応する範囲で設けられている。
【００２１】
前記横気密材２７は、閉鎖位置の内障子４の召合せ框５ｃの位置で切断されており、その切断箇所で横気密材２７と召合せ縦気密材１１をつないで気密ラインを連続させるために、障子閉鎖時の内障子４の召合せ框（召内框ともいう）５ｃ下方における案内溝１５内（下部溝２２を含む）には案内溝１５内を当該召合せ框５ｃの位置で室外側と室内側とに仕切る例えば軟質樹脂製の止水ブロック（図示省略）が設けられている。また、案内溝１５内を召合せ框５ｃの下方において室外側と室内側とに十分に仕切るために、前記室内側カバー材２０の室外面には例えば軟質樹脂製の風止部材（図示省略）が気密材取付溝部２７ａを利用して取付けられている。
【００２２】
一方、左右の内障子４，４の突合せ部である合掌框５ｄ，５ｄ間の室内側には、合掌框間を封止する左右一対の合掌框縦気密材２８，２８が設けられている。具体的には、合掌框５ｄ，５ｄの対向面における室内側部分にそれぞれ軟質樹脂製の合掌框縦気密材２８，２８が長手方向である上下方向に沿って気密材取付溝部２８ａを介して設けられている。また、合掌框５ｄ、５ｄ間の下部には前記合掌框縦気密材２８，２８と前記横気密材２７を接続する合掌框下部気密材２９が設けられている。具体的には、合掌框５ｄ，５ｄの下部（下端部）には樹脂製の合掌框下部振れ止め部材１４，１４が取付けられ、これら合掌框下部振れ止め部材１４，１４の対向面には図４,図５ないし図７の（ａ），（ｂ）に示すようにスポンジの如く弾性を有するシート状の合掌框下部気密材２９，２９がそれぞれ両面粘着テープまたは接着剤により取付けられている。合掌框５ｄは上下方向に連続した中空部３０を有し、該中空部３０の下端部に合掌框下部振れ止め部材１４が嵌合装着されている。
【００２３】
合掌框下部振れ止め部材１４は、合掌框５ｄの中空部３０に嵌合される嵌挿部１４ａを有し、該嵌挿部１４ａの下端には合掌框５ｄの下端に当接される当接部１４ｂが形成され、該当接部１４ｂに前記垂下片１３ａが形成されている。また、当接部１４ｂ上には嵌挿部１４ａの隣に所定の隙間を隔てて突出部１４ｃが設けられている。これにより合掌框５ｄの中空部３０の下端部に嵌挿部１４ａを嵌挿すると、合掌框５ｄ,５ｄの対向面（端面）に突出部１４ｃが突出した状態で配置されるようになっている。前記垂下片１３ａは突出部１４ｃの位置まで延長されている。この突出部１４ｃには合掌框５ｄと下框５ｂを接続するタッピングネジ３３や戸車の高さ調整用ネジ等を挿通する孔部３４が適宜形成されている。前記突出部１４ｃ及び垂下片１３ａの端面には該端面形状に切断された前記合掌框下部気密材２９が貼着されている。突出部１４ｃの一側（室内側）には合掌框縦気密材２８の下端部が気密材取付溝部２８ａと共に入り込む溝部３５が形成されている。一方（室内側から見て左側）の合掌框５ｄの室内側と室外側とには合掌框５ｄの突合せ部を外側から覆う覆い片部３６，３７が上下方向に形成され、前記合掌框下部振れ止め部材１４には前記覆い片部３６，３７の下端に接続される補助覆い部３６ａ，３７ａが形成されている。
【００２４】
そして、合掌框５ｄの合掌框下部気密材２９の上方には、図３、図６ないし図８に示すように、内障子４の框５内（例えばガラスパネル装着溝３８）に入った雨水等の水を排水するための排水孔（水抜き孔ともいう）３９が設けられている。ガラスパネル装着溝３８の合掌框側端部には前記水を排水するための切欠部４１が設けられている（図３参照）。前記水は下框５ｂのガラスパネル装着溝３８の下方の仕切板部４２の上面に流下し、合掌框５ｄの内外端面に設けられた排水孔３９ａ，３９及び前記嵌挿部１４ａの上端部を通って框５外に排水されるようになっている。排水性を良くするために嵌挿部１４ａの上端部には一方の排水孔３９ａ側から他方の排水孔３９側に向って下降傾斜した傾斜面４３が形成されていることが好ましい。また、框５内すなわちガラスパネル装着溝３８内は閉じた空間であるため、排水により圧力が框５外の大気圧よりも下がると排水され難くなる。そこで、合掌框の合掌框下部気密材２９の上方には框５内すなわちガラスパネル装着溝３８内と連通して該ガラスパネル正着溝３８内に空気を導入する空気導入孔（通気孔）４０ａ，４０を設けることにより排水性の更なる向上が図られている。ガラスパネル装着溝３８内への空気の導入により該ガラス装着溝内に入った雨水等の水を枠２外へ容易に且つ円滑に排水することが可能となる。
【００２５】
前記合掌框下部振れ止め部材１４の突出部１４ｃの上部には、合掌框５ｄの外端面の排水孔４０から排水された水を受けて合掌框縦気密材２８側とは反対側である室外側に導くため（流下し易くするため）に室外側に下降傾斜した傾斜面４４が形成されていることが好ましい。框５外に排水された水は、突出部１４ｃの上部傾斜面４４から突出部１４ｃの室外面に沿って流下し、更に補助覆い部３７ａと垂下片１３ａの隙間を垂下片１３ａの室外面に沿って流下して案内溝１５内に落下し、隔壁１６の排水孔から下枠２ｂ内の空間部２５に排水されるようになっている。
【００２６】
以上の構成からなるサッシ１によれば、上枠２ａ、下枠２ｂ及び左右の縦枠２ｃ，２ｃからなる枠２と、該枠２内の両側部に嵌め殺しに設けられた外障子３，３と、枠２内の中央部にスライド開閉自在に設けられた左右一対の内障子４，４とを備え、前記下枠２ｂの上面１２を略平坦面に形成しているため、バリアフリーの両袖嵌め殺し中央引分けタイプのサッシ１が得られる。また、前記内障子４の室外側下部に垂下片１３を設け、前記下枠２ｂの上面１２に前記垂下片１３を案内する案内溝１５を形成しているため、下枠２ｂの上面１２における内障子４の走行面１２ａ上に室外側から砂やほこりが付き難く、走行面１２ａに傷が付くのを抑制できる。
【００２７】
また、案内溝１５に垂下片１３との間を封止する横気密材２７を設け、前記内障子４の突合せ部である合掌框５ｄ，５ｄ間の室内側に合掌框間を封止する合掌框縦気密材２８を設け、合掌框５ｄ，５ｄ間の下部に前記合掌框縦気密材２８と横気密材２７を接続する下部気密材２９を設けているため、内障子４の合掌框５ｄ，５ｄ間の下部の水密性を確保することができる。また、前記合掌框５ｄの合掌框下部気密材２９上方に内障子４の框５内に入った水を排水するための排水孔３９（３９ａを含む）を設けているため、内障子４の框５内に入った水を室外に容易に排水することができる。この場合、前記合掌框５ｄの合掌框下部気密材２９上方にはガラスパネル装着溝３８と連通する空気導入孔４０（４０ａを含む）を設けているため、内障子４の框５内に入った水を室外に円滑に排水することができる。従って、前記サッシ１における合掌部の高水密性を確保することができる。
【００２８】
以上、本発明の実施の形態を図面により詳述してきたが、本発明は前記実施の形態に限定されるものではなく、本発明の要旨を逸脱しない範囲での種々の設計変更等が可能である。実施例では、カバー材の戸車走行面が戸車の形状に合せて凸面に形成されているが、凹面に形成されていても良い。本発明は、両袖嵌め殺し中央部引分けタイプのサッシ以外に、例えば４枚建てタイプのサッシにも適用可能である。前記空気導入孔の開孔位置としては合掌框の上端部（上框の下辺り）であっても良く、或いは合掌框以外例えば上框等であっても良い。また、排水孔の孔径を大きくする（長穴を含む）ことにより、空気導入孔を別途設けず、排水孔が空気導入孔を兼ねるようにしてもよい。
【図面の簡単な説明】
【００２９】
【図１】本発明を両袖嵌め殺し中央引分け窓に適用した実施の形態を示す室内側正面図である。
【図２】図１の拡大横断面図である。
【図３】要部拡大斜視図である。
【図４】一方の合掌框の斜視図である。
【図５】他方の合掌框の斜視図である。
【図６】要部拡大断面図である。
【図７】（a）は一方の合掌框下部振れ止め部材の斜視図、（ｂ）は他方の合掌框下部振れ止め部材の斜視図である。
【図８】水および空気の流れを説明する説明図である。
【図９】室内側カバー材を取外す状態を示す斜視図である。
【図１０】室内側カバー材を取外す状態を示す斜視図である。
【符号の説明】
【００３０】
１  開口部装置
２  枠
２ａ  上枠
２ｂ  下枠
２ｃ  縦枠
３  外障子
４  内障子
５  框
１３  垂下片
１５  案内溝
２７  横気密材
２８  合掌框縦気密材
２９  合掌框下部気密材
３９  排水孔
４０  空気導入孔
【図１】
2005120689.tif 000003
【図２】
2005120689.tif 000004
【図３】
2005120689.tif 000005
【図４】
2005120689.tif 000006
【図５】
2005120689.tif 000007
【図６】
2005120689.tif 000008
【図７】
2005120689.tif 000009
【図８】
2005120689.tif 000010
【図９】
2005120689.tif 000011
【図１０】
2005120689.tif 000012